(57)【要約】【課題】伝送制御信号の拡張領域を用いて、番組情報や選局情報とともに、放送番組の簡易画像を一覧表示した画像群を伝送し、高速に番組選局可能な送信装置及び受信装置を提供する。【解決手段】本発明の送信装置１００ａは、受信可能な１以上の番組に対応した番組関連情報、及び当該受信可能な１以上の番組の映像データからなる合成映像信号のうちいずれか一方又は双方からなる番組選択情報を前記伝送制御信号の拡張領域に格納する格納手段と、当該伝送制御信号を送信する送信手段と、を備える。また、本発明の受信装置２００ａは、前記伝送制御信号を受信する受信手段と、前記伝送制御信号の拡張領域から前記番組選択情報を抽出する抽出手段とを備え、所望の番組を探索し受信可能とする。【選択図】図１
2015032944.tif 000002
【特許請求の範囲】
【請求項１】
伝送制御信号を多重伝送することで伝送制御を行うデジタルデータの送信装置であって、
受信可能な１以上の番組に対応した番組関連情報、及び当該受信可能な１以上の番組の映像データからなる合成映像信号のうちいずれか一方又は双方からなる番組選択情報を前記伝送制御信号の拡張領域に格納する格納手段と、
当該伝送制御信号を送信する送信手段と、
を備えることを特徴とする送信装置。
【請求項２】
前記番組選択情報が前記番組関連情報を含む際に、
前記格納手段は、前記番組関連情報をＭＰＥＧ−２システムに基づくＰＳＩ／ＳＩ情報から抽出する手段を有することを特徴とする請求項１に記載の送信装置。
【請求項３】
前記番組選択情報が前記合成映像信号を含む際に、
前記格納手段は、前記合成映像信号を、ＭＰＥＧ−２  ＴＳを復号した１以上の映像信号から生成する手段を有することを特徴とする請求項１又は２に記載の送信装置。
【請求項４】
前記格納手段は、前記番組選択情報を付加情報とし、当該付加情報を制御するための付加情報制御信号を前記番組選択情報とともに前記伝送制御信号の拡張領域に格納する手段を有することを特徴とする請求項１から３のいずれか一項に記載の送信装置。
【請求項５】
前記付加情報制御信号は、
付加情報の種別を示す付加情報種別情報と、
付加情報の伝送に要するページ数情報及び伝送中のページ番号情報と、
１伝送路内で伝送される１以上のデータストリームから任意の１以上のデータストリームを識別するためのストリーム識別情報と、
１伝送路内で伝送される１以上のサービスから任意の１以上のサービスを識別するためのサービス識別情報のうち、１以上を含むことを特徴とする請求項４に記載の送信装置。
【請求項６】
前記ストリーム識別情報は、１伝送路内で伝送可能なストリームの最大数と同数ビットで構成され、各ビットと各ストリームが１対１に対応付けられていることを特徴とする、請求項４又は５に記載の送信装置。
【請求項７】
前記サービス識別情報は、
付加情報の提示対象とするサービスの数情報と、
付加情報の提示対象とする全てのサービスのサービス識別及び該サービスが多重されているストリームの相対ストリーム番号のうち、いずれか１以上の情報
を含むことを特徴とする、請求項４から６のいずれか一項に記載の送信装置。
【請求項８】
前記付加情報制御信号は、
付加情報の提示対象とするサービスの指定方法を指定する対象サービス指定方式情報を含み、該対象サービス指定方式情報の値によって、
全てのサービスへの提示、
任意の１以上のストリームに多重される全てのサービスへの提示、及び、
任意の１以上の相対ストリーム番号及びサービス識別で特定されるサービスへの提示、のいずれかの提示方法を指定することを特徴とする請求項４から７のいずれか一項に記載の送信装置。
【請求項９】
多重伝送された伝送制御信号により受信制御を行うデジタルデータの受信装置であって、
受信可能な１以上の番組に対応した番組関連情報、及び当該受信可能な１以上の番組の映像データからなる合成映像信号のうちいずれか一方又は双方からなる番組選択情報が拡張領域に格納された前記伝送制御信号を受信する受信手段と、
前記伝送制御信号の拡張領域から前記番組選択情報を抽出する抽出手段と、
を備えることを特徴とする受信装置。
【請求項１０】
前記抽出手段は、前記番組選択情報を付加情報とし、前記番組選択情報とともに前記伝送制御信号の拡張領域に格納された当該付加情報の受信制御のための付加情報制御信号に基づき、当該番組選択情報を抽出する手段を有することを特徴とする請求項９に記載の受信装置。
【請求項１１】
請求項４〜８に記載の送信装置により送信された信号を受信する受信装置であって、
前記付加情報制御信号は、
付加情報の種別を示す付加情報種別情報と、
付加情報の伝送に要するページ数情報及び伝送中のページ番号情報と、
１伝送路内で伝送される１以上のデータストリームから任意の１以上のデータストリームを識別するためのストリーム識別情報と、
１伝送路内で伝送される１以上のサービスから任意の１以上のサービスを識別するためのサービス識別情報のうち、いずれか１以上の情報を含むことを特徴とする請求項１０に記載の受信装置。
【請求項１２】
前記ストリーム識別情報は、１伝送路内で伝送可能なストリームの最大数と同数ビットで構成され、各ビットと各ストリームが１対１に対応付けられていることを特徴とする、請求項１１に記載の受信装置。
【請求項１３】
前記サービス識別情報は、
付加情報の提示対象とするサービスの数情報と、
付加情報の提示対象とする全てのサービスのサービス識別及び該サービスが多重されているストリームの相対ストリーム番号のうち、いずれか１以上の情報を含むことを特徴とする、請求項１１又は１２に記載の受信装置。
【請求項１４】
前記付加情報制御信号は、
付加情報の提示対象とするサービスの指定方法を指定する対象サービス指定方式情報を含み、該対象サービス指定方式情報の値によって、
全てのサービスへの提示、
任意の１以上のストリームに多重される全てのサービスへの提示、及び、
任意の１以上の相対ストリーム番号及びサービス識別で特定されるサービスへの提示、のいずれかの提示方法を指定することを特徴とする、請求項１１から１３のいずれか一項に記載の受信装置。
【請求項１５】
請求項１〜８のいずれか一項に記載の送信装置により送信された信号を受信する受信装置であって、
前記伝送制御信号を受信する受信手段と、
前記伝送制御信号の拡張領域から前記番組選択情報を抽出する抽出手段と、
所望の番組を探索し受信可能とするよう前記番組選択情報を出力する出力手段と、
を備えることを特徴とする受信装置。
【発明の詳細な説明】
【技術分野】
【０００１】
本発明は、衛星放送及び地上放送並びに固定通信及び移動通信の技術分野に関するものであり、特に、デジタルデータの送信装置及び受信装置に関する。
【背景技術】
【０００２】
デジタル放送では、映像や音声、テキスト、画像などの多種多様なデータを１つの多重化されたストリームとして伝送を行うことで、柔軟なマルチメディアサービスを提供している。日本のＢＳデジタル放送や地上デジタル放送を始め、世界のほとんどのデジタル放送では、多重方式としてＭＰＥＧ−２システムが採用されている。
【０００３】
ＭＰＥＧ−２システムにおける多重化のブロック図を図１５に示す。ＭＰＥＧ−２システムにおいては、映像、音声、字幕は各符号化方式で符号化され、ＰＥＳパケットに多重化される。一方、データ放送はマルチメディア符号化され、番組編成情報はテーブル化された後、セクション化され、ＰＥＳパケットともにＭＰＥＧ−２ ＴＳパケット（以下、ＴＳと呼ぶ）に多重化される。多重化されたＴＳは、衛星、地上などの各種伝送路に応じた伝送路符号化処理を行い、変調波信号を生成して各種伝送路に送出される。
【０００４】
なお、図１５においては、映像、音声、字幕、データ放送及び番組編成情報が各１系統となっているが、これらを複数備えて１系統のＴＳに多重する場合もある。日本のＢＳデジタル放送のように、複数のＴＳを１チャネル（１衛星中継器）で伝送可能な伝送路符号化処理を行う放送方式も存在する。
【０００５】
ＭＰＥＧ−２システムでは、複数の番組（プログラム）を多重化でき、各番組を受信装置において選択可能な手段として、ＰＳＩ(Program Specific Information)／ＳＩ(Service Information)による多重制御が行われている。ＴＳ内において、ＰＳＩ／ＳＩは周期的に伝送され、番組選局用の情報として用いられる。ＰＳＩは、ＰＡＴ(Program Association Table)，ＰＭＴ(Program Map Table)，ＣＡＴ(Conditional Access Table)、ＮＩＴ(Network Information Table)の４種類のテーブルから構成され、上記テーブルに記載されたＰＩＤ(パケット識別)を参照することで、選局した番組に該当する映像・音声を含んだＴＳを抽出することが可能である。ＳＩは、電子番組ガイドＥＰＧ（Electronic Program Guide）を形成するための情報（番組情報）や、現在放送中の番組や次に放送予定の番組に関する情報、現在時刻情報などが含まれる（例えば、非特許文献１参照）。
【０００６】
ＭＰＥＧ−２システムにおける番組受信プロセスは、ＴＳに含まれるＰＳＩ／ＳＩ、すなわち、ＮＩＴ、ＳＤＴ(Service Description Table)、ＥＩＴ(Event Information Table)、ＰＡＴ、ＰＭＴなど番組選局に関する情報が記載されたテーブルの取得し、目的の番組を構成するすべてのＰＩＤを判別し、所望の番組受信が可能となる。また、ＥＩＴの取得により、ＥＰＧ表示に必要な情報を取得でき、またそこから番組を選択することが可能となる。
【０００７】
ＭＰＥＧ−２システムにおいては、ＰＳＩ／ＳＩがＴＳに多重される都合上、ＴＳを多重分離してＥＰＧを構成する情報等を取得する必要がある。送信側でのテーブル生成や受信側でのテーブル取得及び解析に時間がかかるため、受信装置において、現在受信可能な全ての番組の概要を短時間で把握することが困難であった。
【０００８】
２０１１年に放送終了したアナログ放送においては、チャンネルを切り替えて、番組を１つずつ確認することも容易に可能であった。また、全チャンネルを一覧表示したマルチチャンネル表示機能の搭載はアナログデコーダーの高速切り替え等により容易に実現可能であったため、マルチチャンネル表示させたコンテンツの中から、好みのコンテンツを探し出すことも容易に可能であった。一方、ＭＰＥＧ−２システムによるデジタル放送の場合、チャンネルを切り替えるたびに映像が表示されるまで、１秒程度の待ち時間が発生する。そのため、現在のＢＳ放送のような多チャンネルの放送が行われている場合には、ザッピングによる番組探索にはかなりの時間を要する。また、マルチチャンネル表示機能は、全チャンネルを順次受信し，復号した映像を１画面上に配列することで可能ではあるが、アナログ放送と比較してかなり長い時間が必要となる。さらに、ＰＳＩ／ＳＩ情報に基づき動作するＥＰＧ（電子番組ガイド）を用いる場合には、ＥＰＧ画面の合成にも時間を要するため、やはり好みのコンテンツを探し出すには、かなりの時間を要する。
【０００９】
上述のように、現在のデジタル放送は、主にＭＰＥＧ−２システムに基づく多重化方式を採用しており、好みの番組を探し出すために、長い時間を要するという欠点が存在する。また、こうした特徴は、多重化方式に別方式採用したとしても、ＰＳＩ／ＳＩに相当する情報を、周期的に伝送するという構成をとる限りは解消されないと考えられる。
【００１０】
次に、ＭＰＥＧ−２システムなどにより多重化した信号を伝送するための伝送路符号化方式の一例として、高度広帯域衛星デジタル放送の伝送方式（以下、高度衛星放送伝送方式と呼ぶ）について説明する（例えば、非特許文献２参照）。高度衛星放送伝送方式による送信装置１００及び受信装置２００からなる伝送システムのブロック図を図１６に示す。なお、同方式は、ＴＳ以外に、ＩＰパケット伝送などに適するＴＬＶパケットも伝送可能であるが、ここでの説明では割愛する。
【００１１】
図１６を参照するに、送信装置１００は、フレーム生成部１１０と、伝送制御情報フレーム生成部１２０と、ＢＣＨ符号化部１３０−１，１３０−２と、ＬＤＰＣ符号化部１４０−１，１４０−２と、マッピング部１５０−１，１５０−２と、信号点系列多重部１６０と、直交変調部１７０と、を備える。
【００１２】
送信装置１００に入力されるＴＳ１〜ＴＳｎ(ｎ：１以上の整数)は、フレーム生成部１１０で多重フレーム上に多重される。本方式の伝送路符号化における多重フレームは、１フレーム１２０スロットで構成され、最大１６のＴＳを、スロットを単位として割り当てることができる。各スロットへのＴＳの割り当ては、外部から供給される伝送制御情報に基づいて行う。各ＴＳには０〜１５の相対ストリーム番号が割り当てられ、さらに各相対ストリーム番号には１６ビットのストリーム識別が対応付けられる。
【００１３】
伝送制御情報は、各スロットへの変調方式、ＬＤＰＣ符号化率の割り当てや、１以上の各ＴＳの割り当てスロット数などの情報で構成されており、その内容は、２フレーム後の伝送制御に使用される。したがって、伝送制御情報の内容は、ＴＳなどの主信号を伝送するフレーム構成を更新する２フレーム前に更新される。
【００１４】
伝送制御情報フレーム生成部１２０に入力された伝送制御情報は、多重フレームと同じ周期で伝送制御情報のフレーム化を行うとともに、フレーム生成部１１０、ＢＣＨ符号化部１３０−１、ＬＤＰＣ符号化部１４０−１、マッピング部１５０−１、及び、信号点系列多重部１６０に、ゲート信号などの各種制御信号を生成し供給する。
【００１５】
フレーム生成部１１０でフレーム化されたデータは、ＢＣＨ符号化部１３０−１でＢＣＨ符号のパリティが付加され出力される。
【００１６】
ＢＣＨ符号のパリティが付加された信号は、ＬＤＰＣ符号化部１４０−１で、伝送制御情報フレーム生成部１２０から供給される制御信号により指定された符号化率のＬＤＰＣ符号のパリティが付加され出力される。
【００１７】
ＬＤＰＣ符号のパリティが付加された信号は、マッピング部１５０−１で、伝送制御情報フレーム生成部１２０から供給される制御信号により指定された変調方式のマッピングが行われ、Ｉ−Ｑ平面上の信号点の系列が出力される。
【００１８】
一方、伝送制御情報フレーム生成部１２０でフレーム化されたデータは、ＢＣＨ符号化部１３０−２でＢＣＨ符号のパリティが付加され出力される。
【００１９】
ＢＣＨ符号のパリティが付加された信号は、ＬＤＰＣ符号化部１４０−２で、伝送制御情報を格納する信号（以下、伝送制御信号と呼ぶ）用に規定された符号化率（１／３）のＬＤＰＣ符号のパリティが付加され出力される。
【００２０】
ＬＤＰＣ符号のパリティが付加された信号は、マッピング部１５０−１で、伝送制御信号用に規定された変調方式（π／２シフトＢＰＳＫ）のマッピングが行われ、Ｉ−Ｑ平面上の信号点の系列が出力される。
【００２１】
マッピング部１５０−１，１５０−２から出力された信号点系列は、信号点系列多重部１６０で、伝送制御情報フレーム生成部１２０から供給される制御信号に基づいて、本方式で規定された順序で時分割多重され出力される。
【００２２】
信号点系列多重部１６０で時分割多重された信号点系列は、直交変調部１７０で直交変調することにより変調波信号に変換され、伝送路に送出される。
【００２３】
一方、受信装置２００は、直交復調部２１０と、信号点系列分離部２２０と、ＬＬＲ計算部２３０−１，２３０−２と、ＬＤＰＣ復号部２４０−１，２４０−２と、ＢＣＨ復号部２５０−１，２５０−２と、伝送制御情報分離部２６０と、を備える。
【００２４】
伝送路を介して入力された変調波信号は、直交復調部２１０で直交復調され、時分割多重された信号点系列に変換される。
【００２５】
直交復調部２１０で時分割多重された信号点系列は、信号点系列分離部２２０で、ＴＳに対応する信号点系列を分離して、ＬＬＲ計算部２３０−１に出力するとともに、伝送制御信号に対応する信号点系列を分離して、ＬＬＲ計算部２３０−２に出力する。
【００２６】
信号点系列分離部２２０から出力された、伝送制御信号に対応する信号点系列は、ＬＬＲ計算部２３０−２で、伝送制御信号用に規定された変調方式の信号点配置に基づき対数尤度比（ＬＬＲ）系列を計算し出力する。
【００２７】
ＬＬＲ計算部２３０−２から出力されたＬＬＲ系列は、ＬＤＰＣ復号部２４０−２で伝送制御信号用に規定された符号化率でＬＤＰＣ復号され出力される。
【００２８】
ＬＤＰＣ復号部２４０−２から出力されたＬＤＰＣ復号系列は、ＢＣＨ復号部２５０−２でＢＣＨ復号され出力される。
【００２９】
ＢＣＨ復号部２５０−２から出力されたＢＣＨ復号系列は、伝送制御情報分離部２６０で伝送制御情報を抽出し、ＬＬＲ計算部２３０−１、ＬＤＰＣ復号部２４０−１、フレーム分離部２７０に、ゲート信号などの各種制御信号を生成し供給するとともに、必要に応じて伝送制御情報を出力する。
【００３０】
信号点系列分離部２２０から出力された、ＴＳに対応する信号点系列は、ＬＬＲ計算部２３０−１で、伝送制御情報分離部２６０から供給される制御信号により指定された変調方式の変調方式の信号点配置に基づき対数尤度比（ＬＬＲ）系列を計算し出力する。
【００３１】
ＬＬＲ計算部２３０−１から出力されたＬＬＲ系列は、ＬＤＰＣ復号部２４０−１で、伝送制御情報分離部２６０から供給される制御信号により指定された符号化率でＬＤＰＣ復号され出力される。
【００３２】
ＬＤＰＣ復号部２４０−１から出力されたＬＤＰＣ復号系列は、ＢＣＨ復号部２５０−１でＢＣＨ復号され出力される。
【００３３】
ＢＣＨ復号部２５０−１から出力されたＢＣＨ復号系列は、フレーム分離部２７０で、伝送制御情報分離部２６０から供給される制御信号に基づき、所望の１以上のＴＳをそれぞれ出力する。
【００３４】
次に、伝送制御信号に格納する情報の構成について、図１７を参照して説明する。図１７は、同方式における伝送制御信号で伝送される情報（伝送制御情報及び拡張情報）のビット割当てを示す。全９４２２ビットで１フレーム分の伝送制御信号を構成している。
【００３５】
「変更指示」は、伝送制御情報の変更があった場合にインクリメントされるカウンタである。
【００３６】
「伝送モード／スロット情報」は、伝送モード１〜８への変調方式、符号化率、割り当てスロット数、衛星バックオフ量を指定する情報で構成される。
【００３７】
「ストリーム種別／相対ストリーム情報」は、相対ストリーム０〜１５のストリーム種別（ＴＳ／ＴＬＶ／その他）を指定する情報で構成される。
【００３８】
「パケット形式／相対ストリーム情報」は、相対ストリーム０〜１５それぞれのパケット長、同期パターンビット長、同期パターンを指定する情報で構成される。
【００３９】
「ポインタ／スロット情報」は、各スロット内の先頭パケットの先頭位置と、末尾パケットの末尾位置を指定する情報で構成される。
【００４０】
「相対ストリーム／スロット情報」は、各スロットの相対ストリーム番号を指定する情報で構成される。
【００４１】
「相対ストリーム・伝送ストリームＩＤ対応表情報」は、相対ストリーム番号０〜１５について、伝送ストリームＩＤを指定する情報で構成される。伝送ストリームＩＤは、ストリーム種別がＴＳの場合にＭＰＥＧ−２システムのＴＳ＿ＩＤとなる。
【００４２】
「送受信制御情報」は、アップリンク制御などに利用される。
【００４３】
最後尾の３６１４ビットは、「拡張情報」として定義される。拡張情報の先頭１６ビットが「拡張識別」であり、後続する３５９８ビットが実際に使用可能な「拡張領域」である。通常、拡張識別はすべて “０”でスタッフィングされ、その場合、拡張領域はすべて“１”でスタッフィングされて伝送される。拡張領域を使用する場合、拡張識別はすべて“０”以外の値とする（例えば、非特許文献２参照）。
【００４４】
「拡張領域」は将来の伝送制御信号に格納する情報の拡張にために使用すること以外は特に規定はなく、その利用方法については、今後の検討課題となっている。
【００４５】
ＭＰＥＧ−２システムに基づき多重化されたＴＳは、上記に例示した高度衛星放送伝送方式などによって伝送される。その他の伝送路符号化方式として、衛星放送用のＩＳＤＢ−Ｓ、ＤＶＢ−Ｓ，ＤＶＢ−Ｓ２や地上放送用のＩＳＤＢ−Ｔ、ＤＶＢ−Ｔ、ＤＶＢ−Ｔ２などがあり、それぞれ誤り訂正符号やフレーム構成などに違いがあるが、受信装置側でＴＳが復元され、更に、ＰＳＩ／ＳＩ情報が抽出され、番組選択を行う点では同様である。
【先行技術文献】
【非特許文献】
【００４６】
【非特許文献１】“デジタル放送に使用する番組配列情報  標準規格  ARIB STD-B10  5.2版［online］、平成25年7月3日改定、ARIB、［平成25年7月31日検索］、インターネット〈URL： http://www.arib.or.jp/english/html/overview/doc/2-STD-B10v5_2.pdf〉
【非特許文献２】“高度広帯域衛星デジタル放送の伝送方式  標準規格  ARIB STD-B44  1.0版、［online］、平成21年7月29日策定、ARIB、［平成25年7月31日検索］、インターネット〈URL：http://www.arib.or.jp/english/html/overview/doc/2-STD-B44v1_0.pdf〉
【発明の概要】
【発明が解決しようとする課題】
【００４７】
以上説明したように、ほとんどのデジタル放送方式では、多重化方式としてＭＰＥＧ−２システムを採用しており、ＰＳＩ／ＳＩ情報から番組選択を行うため、現在受信可能な番組を把握し、さらに所望のコンテンツを見つけ出し受信するためには、アナログ放送に比べて長大な時間を要し、デジタル放送の欠点となっている。
【００４８】
そこで、本発明の目的は、デジタル信号の受信装置において所望の番組を素早く探索し、選局可能とする手段を有する送信装置及びその受信装置を提供することにある。
【課題を解決するための手段】
【００４９】
本発明は、包括的には、各種伝送路で使用する伝送路符号化方式における伝送制御信号の拡張領域を用いて伝送する受信側が所望の番組を探索し選択するための番組情報及び選局情報を番組関連情報と称し、受信可能な１以上の番組に対応した番組関連情報、及び当該受信可能な１以上の番組の映像データからなる合成映像信号のうちいずれか一方又は双方からなる番組選択情報を伝送する手段を設けた伝送システムを構成する。
【００５０】
即ち、本発明の送信装置は、伝送制御信号を多重伝送することで伝送制御を行うデジタルデータの送信装置であって、受信可能な１以上の番組に対応した番組関連情報、及び当該受信可能な１以上の番組の映像データからなる合成映像信号のうちいずれか一方又は双方からなる番組選択情報を前記伝送制御信号の拡張領域に格納する格納手段と、当該伝送制御信号を送信する送信手段と、を備えることを特徴とする。
【００５１】
また、本発明の送信装置において、前記番組選択情報が前記番組関連情報を含む際に、前記格納手段は、前記番組関連情報をＭＰＥＧ−２システムに基づくＰＳＩ／ＳＩ情報から抽出する手段を有することを特徴とする。
【００５２】
また、本発明の送信装置において、前記番組選択情報が前記合成映像信号を含む際に、前記格納手段は、前記合成映像信号を、ＭＰＥＧ−２  ＴＳを復号した１以上の映像信号から生成する手段を有することを特徴とする。
【００５３】
また、本発明の送信装置において、前記格納手段は、前記番組選択情報を付加情報とし、当該付加情報を制御するための付加情報制御信号を前記番組選択情報とともに前記伝送制御信号の拡張領域に格納する手段を有することを特徴とする。
【００５４】
また、本発明の送信装置において、前記付加情報制御信号は、付加情報の種別を示す付加情報種別情報と、付加情報の伝送に要するページ数情報及び伝送中のページ番号情報と、１伝送路内で伝送される１以上のデータストリームから任意の１以上のデータストリームを識別するためのストリーム識別情報と、１伝送路内で伝送される１以上のサービスから任意の１以上のサービスを識別するためのサービス識別情報のうち、１以上を含むことを特徴とする。
【００５５】
また、本発明の送信装置において、前記ストリーム識別情報は、１伝送路内で伝送可能なストリームの最大数と同数ビットで構成され、各ビットと各ストリームが１対１に対応付けられていることを特徴とする。
【００５６】
また、本発明の送信装置において、前記サービス識別情報は、付加情報の提示対象とするサービスの数情報と、付加情報の提示対象とする全てのサービスのサービス識別及び該サービスが多重されているストリームの相対ストリーム番号のうち、いずれか１以上の情報を含むことを特徴とする。
【００５７】
また、本発明の送信装置において、前記付加情報制御信号は、付加情報の提示対象とするサービスの指定方法を指定する対象サービス指定方式情報を含み、該対象サービス指定方式情報の値によって、全てのサービスへの提示、任意の１以上のストリームに多重される全てのサービスへの提示、及び任意の１以上の相対ストリーム番号及びサービス識別で特定されるサービスへの提示、のいずれかの提示方法を指定することを特徴とする。
【００５８】
更に、本発明の受信装置は、多重伝送された伝送制御信号により受信制御を行うデジタルデータの受信装置であって、受信可能な１以上の番組に対応した番組関連情報、及び当該受信可能な１以上の番組の映像データからなる合成映像信号のうちいずれか一方又は双方からなる番組選択情報が拡張領域に格納された前記伝送制御信号を受信する受信手段と、前記伝送制御信号の拡張領域から前記番組選択情報を抽出する抽出手段と、を備えることを特徴とする。
【００５９】
また、本発明の受信装置において、前記抽出手段は、前記番組選択情報を付加情報とし、前記番組選択情報とともに前記伝送制御信号の拡張領域に格納された当該付加情報の受信制御のための付加情報制御信号に基づき、当該番組選択情報を抽出する手段を有することを特徴とする。
【００６０】
また、本発明の受信装置において、前記付加情報制御信号は、付加情報の種別を示す付加情報種別情報と、付加情報の伝送に要するページ数情報及び伝送中のページ番号情報と、１伝送路内で伝送される１以上のデータストリームから任意の１以上のデータストリームを識別するためのストリーム識別情報と、１伝送路内で伝送される１以上のサービスから任意の１以上のサービスを識別するためのサービス識別情報のうち、いずれか１以上の情報を含むことを特徴とする。
【００６１】
また、本発明の受信装置において、前記ストリーム識別情報は、１伝送路内で伝送可能なストリームの最大数と同数ビットで構成され、各ビットと各ストリームが１対１に対応付けられていることを特徴とする。
【００６２】
また、本発明の受信装置において、前記サービス識別情報は、付加情報の提示対象とするサービスの数情報と、付加情報の提示対象とする全てのサービスのサービス識別及び該サービスが多重されているストリームの相対ストリーム番号のうち、いずれか１以上の情報を含むことを特徴とする。
【００６３】
また、本発明の受信装置において、前記付加情報制御信号は、付加情報の提示対象とするサービスの指定方法を指定する対象サービス指定方式情報を含み、該対象サービス指定方式情報の値によって、全てのサービスへの提示、任意の１以上のストリームに多重される全てのサービスへの提示、及び任意の１以上の相対ストリーム番号及びサービス識別で特定されるサービスへの提示、のいずれかの提示方法を指定することを特徴とする。
【００６４】
また、本発明の受信装置において、本発明の送信装置により送信された信号を受信する受信装置であって、前記伝送制御信号を受信する受信手段と、前記伝送制御信号の拡張領域から前記番組選択情報を抽出する抽出手段と、所望の番組を探索し受信可能とするよう前記番組選択情報を出力する出力手段と、を備えることを特徴とする。
【発明の効果】
【００６５】
本発明によれば、伝送制御信号に拡張領域を有する伝送システムにおいて、所望の番組を素早く探索し受信することが可能となる。
【図面の簡単な説明】
【００６６】
【図１】本発明による実施例１の送信装置及び受信装置からなる伝送システムの構成を示すブロック図である。
【図２】本発明による実施例１の送信装置における番組選択情報生成部のブロック図である。
【図３】本発明による実施例１の伝送システムにおいて、受信側の画面例として、送信側が送信する合成映像を２次元配列した映像データで構成した例を示す図である。
【図４】本発明による実施例１の送信装置における伝送制御情報及び付加情報フレーム生成部のブロック図である。
【図５】本発明による実施例１の受信装置における伝送制御情報及び付加情報分離部のブロック図である。
【図６】本発明による実施例１の受信装置における番組選択情報分離部のブロック図である。
【図７】本発明による実施例２の送信装置における番組選択情報生成部のブロック図である。
【図８】本発明による実施例２の送信装置における伝送制御情報及び付加情報フレーム生成部のブロック図である。
【図９】本発明による実施例２の送信装置及び受信装置からなる伝送システムにて、本発明に係る３つの対象サービス指定方式（伝送路内のすべてのストリーム（ＴＳ）を対象／特定の１以上のストリーム（ＴＳ）に含まれる全てのサービスを対象／特定の１以上のストリーム（ＴＳ）に含まれる、１以上のサービスを対象）に対応した、拡張領域のビット割当例を示す図である。
【図１０】本発明に係る「付加情報種別」の値と割り当ての関係の例を示す図である。
【図１１】本発明に係る「対象サービス指定方式」の値と割り当ての関係を示す図である。
【図１２】本発明に係る相対ストリーム選択フラグの割り当てビットを示す図である。
【図１３】本発明による実施例２の受信装置における伝送制御情報及び付加情報分離部のブロック図である。
【図１４】本発明による実施例２の受信装置における番組選択情報分離部のブロック図である。
【図１５】ＭＰＥＧ−２システムにおける多重化のブロック図を示す図である。
【図１６】従来からの高度衛星放送伝送方式による送信装置及び受信装置からなる伝送システムのブロック図を示す図である。
【図１７】高度衛星放送伝送方式における伝送制御信号で伝送されるＴＭＣＣ情報のビット割当てを示す図である。
【発明を実施するための形態】
【００６７】
以下、図面を参照して、本発明による各実施例の送信装置及び受信装置を説明する。尚、各図面において、同様な構成要素には同一の参照番号を付して説明する。
【００６８】
また、各実施例の送信装置及び受信装置について、デジタルデータの伝送を行う複数のＴＳなどのストリームやサービスを１つのチャネルや衛星中継器によって伝送可能な伝送方式として、高度衛星放送伝送方式に本発明を適用した例について説明する。
【００６９】
（実施例１）
〔送信装置〕
図１は、本発明による一実施例の送信装置及び受信装置の構成を示すブロック図である。図１を参照するに、本実施例の送信装置１００ａは、フレーム生成部１１０と、伝送制御情報及び付加情報フレーム生成部１２０ａと、ＢＣＨ符号化部１３０−１，１３０−２と、ＬＤＰＣ符号化部１４０−１，１４０−２と、マッピング部１５０−１，１５０−２と、信号点系列多重部１６０と、直交変調部１７０と、番組選択情報生成部１８０と、を備える。
【００７０】
従来からの送信装置１００と本実施例の送信装置１００ａとを比較すると、フレーム生成部１１０と、ＢＣＨ符号化部１３０−１，１３０−２と、ＬＤＰＣ符号化部１４０−１，１４０−２と、マッピング部１５０−１，１５０−２と、信号点系列多重部１６０と、直交変調部１７０と、を備える点で同一であるが、伝送制御情報フレーム生成部１２０の代わりに、伝送制御情報及び付加情報フレーム生成部１２０ａと、番組選択情報生成部１８０と、を備える点で相違する。
【００７１】
フレーム生成部１１０、ＢＣＨ符号化部１３０−１，１３０−２、ＬＤＰＣ符号化部１４０−１，１４０−２、マッピング部１５０−１，１５０−２、信号点系列多重部１６０、直交変調部１７０は、図１６に示した従来からの送信装置１００のものと同様に機能することから、ここでは説明を省略し、伝送制御情報及び付加情報フレーム生成部１２０ａと番組選択情報生成部１８０の機能について、以下に説明する。
【００７２】
番組選択情報生成部１８０は、入力された１以上のＴＳに多重されている各サービスについて、番組選択情報を生成する。番組選択情報は、各ＴＳのＰＳＩ／ＳＩ情報から抽出した番組選択に必要な情報、及び／または、各ＴＳを復号した映像画素数を１倍以下に削減し、画素数を削減した１以上の映像データを１つに合成した映像信号（以下、合成映像信号と呼ぶ）で構成される番組選択情報を生成し、出力する。
【００７３】
番組選択情報生成部１８０の詳細ブロック図を図２に示す。番組選択情報生成部１８０は、送信装置１００ａが送信対象とする、ＴＳ１〜ＴＳｎ、及び送信装置１００ａが送信対象としない、すなわち、別の衛星中継器で伝送される、ＴＳｎ＋１〜ＴＳｍが入力される。なお、ｎは１以上の整数、ｍはｎ以上の整数である。ｍ＝ｎの場合には図中のＴＳｎ＋１は存在しない。
【００７４】
映像信号復号部１８１は、これらのＴＳに多重化されている番組映像信号をそれぞれ復号し出力する。このときの復号は、動画像として復号しても良いし、Ｉピクチャだけを復号しても良い。
【００７５】
映像信号縮小部１８２は、映像信号復号部１８１から出力されたこれらの映像信号をそれぞれ等間隔に画素を間引くなどの方法により、１倍以下の縮小映像信号を生成し出力する。このときの縮小映像信号は、動画像でも、動画像のフレームを間引いた、あるいはＩピクチャのみを利用したコマ送り映像でも良いし、静止画像でも良い。
【００７６】
映像信号合成部１８３は、映像信号縮小部１８２から出力された縮小映像信号の１以上を一画面上に合成した合成映像信号を生成し出力する。
【００７７】
この送信側が送信する合成映像信号は、受信側の画面例として、例えば、図３に示すように、２次元配列した映像データで構成しても良い。
【００７８】
映像信号符号化部１８４は、映像信号合成部１８３から出力された合成映像信号を圧縮符号化した符号化合成映像信号を生成し出力する。なお、この映像信号符号化部１８４は、伝送容量を有効に使うために映像信号を圧縮符号化するものであるが、伝送容量に余裕がある場合には省略することも可能である。
【００７９】
ＰＳＩ／ＳＩフィルタ部１８５は、ＴＳ１〜ＴＳｎ、およびＴＳｎ＋１〜ＴＳｍのＰＳＩ／ＳＩ情報から受信装置で番組選択を迅速に行うことを可能とするための情報を抽出する機能を有する。具体的には、映像信号復号部１８１において復号した各番組映像に対応するＰＳＩ／ＳＩ情報の全てまたは一部で構成される番組関連情報を出力する。この番組関連情報は、ＰＳＩ／ＳＩの全てのテーブルをＡＲＩＢ  ＳＴＤ−Ｂ１０準拠のテーブルのまま、順次配列したものでもよい。また、最低限必要な情報、例えば、受信周波数、ＴＳ識別、映像符号化方式、映像信号のＰＩＤ、音声信号のＰＩＤ、ＥＭＭのＰＩＤ、チャンネル名、番組名、番組概要など絞り込んだ情報を番組ごとに抽出して配列したものとしても良い。
【００８０】
多重化部１８６は、映像信号符号化部１８４から出力された符号化合成映像信号、およびＰＳＩ／ＳＩフィルタ部１８５から出力された番組関連情報を多重化して、番組選択情報として出力する。多重化の方法としては、ユニークワードを先頭に配し、符号化合成映像信号及び番組関連情報を時間軸多重するなどの方法が利用可能である。
【００８１】
番組制御情報は、受信可能な番組数の変動などの要因で可変長となる。従って、固定長の伝送制御信号の拡張領域に番組制御情報を多重するために、制御信号が必要となる。
【００８２】
そこで、番組選択情報制御信号生成部１８７は、固定長の伝送制御信号の拡張領域に番組制御情報を多重するための番組選択情報制御信号を生成し出力する。この番組選択情報制御信号は、伝送制御情報のレジスタに番組選択情報を書き込む際に、遅延時間調整を行うためのゲート信号として機能する。
【００８３】
伝送制御情報及び付加情報フレーム生成部１２０ａは、伝送制御情報フレーム生成部１２０が有する機能に加え、番組選択情報生成部１８０から入力された番組選択情報を、付加情報として伝送制御信号の拡張領域に多重して伝送する機能を有する。
【００８４】
伝送制御情報及び付加情報フレーム生成部１２０ａの詳細ブロック図を図４に示す。伝送制御情報は、シフトレジスタ１２３ａの伝送制御情報領域に書き込まれると同時に、制御信号生成部１２２ａに供給される。制御信号生成部１２２ａは、伝送制御情報を基に、各部で必要な制御信号を生成し出力する。拡張識別には「全てゼロ」以外の値が書き込まれる。番組選択情報は、番組選択情報制御信号により制御される遅延時間調整部１２１ａにより時間調整され、伝送制御情報用のシフトレジスタ１２３ａの拡張領域に書き込まれる。シフトレジスタ１２３ａに全ての値が書き込まれた後、出力される。
【００８５】
尚、本実施例では、伝送制御情報及び付加情報フレーム生成部１２０ａ及び番組選択情報生成部１８０の機能により、受信可能な１以上の番組に対応したＰＳＩ／ＳＩ情報の全て又は一部からなる番組関連情報、及び当該受信可能な１以上の番組の映像データからなる合成映像信号の双方からなる番組選択情報を伝送制御信号の拡張領域に格納し、当該伝送制御信号を送信する例を説明するが、番組毎に選択された番組関連情報及び合成映像信号のうちいずれか一方を伝送制御信号の拡張領域を利用して伝送するように構成することができる。
【００８６】
〔受信装置〕
図１を参照するに、本実施例の受信装置２００ａは、直交復調部２１０と、信号点系列分離部２２０と、ＬＬＲ計算部２３０−１，２３０−２と、ＬＤＰＣ復号部２４０−１，２４０−２と、ＢＣＨ復号部２５０−１，２５０−２と、伝送制御情報及び番組選択情報分離部２６０ａと、フレーム分離部２７０と、番組選択情報分離部２８０と、を備える。
【００８７】
従来からの受信装置２００と本実施例の受信装置２００ａとを比較すると、直交復調部２１０と、信号点系列分離部２２０と、ＬＬＲ計算部２３０−１，２３０−２と、ＬＤＰＣ復号部２４０−１，２４０−２と、ＢＣＨ復号部２５０−１，２５０−２と、フレーム分離部２７０と、を備える点で同一であるが、伝送制御情報分離部２６０の代わりに、伝送制御情報及び付加情報分離部２６０ａ、及び番組選択情報分離部２８０を備える点で相違する。
【００８８】
直交復調部２１０、信号点系列２２０、ＬＬＲ計算部２３０−１，２３０−２、ＬＤＰＣ復号部２４０−１，２４０−２、ＢＣＨ復号部２５０−１，２５０−２、及びフレーム分離部２７０は、図１６に示した従来からの受信装置２００のものと同様に機能するから、ここでは説明を省略し、伝送制御情報及び付加情報分離部２６０ａ及び番組選択情報分離部２８０の機能について、以下に説明する。
【００８９】
伝送制御情報及び付加情報分離部２６０ａの詳細ブロック図を図５に示す。入力される信号は、ＢＣＨ復号部２５０−２から入力されるＢＣＨ復号系列であり、シフトレジスタ２６１ａに蓄積することで伝送制御情報（ＴＭＣＣ情報）が得られる。
【００９０】
制御信号生成部２６２ａは、伝送制御情報を基に、各部で必要な制御信号を生成し出力する。また、伝送制御情報は必要に応じて外部に出力される。また、番組選択情報は、拡張領域を使って間欠的に受信されることになるため、遅延時間調整部２６３ａにおいて連続したデータに変換され、番組選択情報分離部２８０に出力される。同時に、番組選択情報が出力されている期間を示すための番組選択情報制御信号も番組選択情報分離部２８０に出力される。
【００９１】
番組選択情報分離部２８０の詳細構成図を図６に示す。番組選択情報分離部２８０は、多重分離部２８１及び映像信号複合部２８２で構成される。多重分離部２８１は番組選択情報制御信号に基づき番組選択情報を読み込み、番組関連情報と符号化合成映像信号とを分離し出力する。映像信号復号部２８２は、符号化合成映像信号を復号し、合成映像信号を出力する。なお、送信側で映像信号符号化部１８４を省略した場合には、映像信号復号部２８２も省略する。
【００９２】
したがって、伝送制御情報及び付加情報分離部２６０ａ及び番組選択情報分離部２８０の機能により、伝送制御信号を受信するのみで、受信可能な１以上の番組に対応したＰＳＩ／ＳＩ情報の全て又は一部からなる番組関連情報、及び当該受信可能な１以上の番組の映像データからなる合成映像信号のうちいずれか一方又は双方からなる番組選択情報について、伝送制御信号の拡張領域から番組選択情報を抽出するように構成される。
【００９３】
上述した、多重化部１８６による多重化の際、合成映像を図３に示すように縮小映像の２次元配列で構成し、縮小映像の番組番号の順に、対応する番組関連情報を多重化することで、縮小映像と番組関連情報の対応付けが図れることから、受信側で合成映像中の縮小映像を選択することで、対応する番組関連情報を抽出することが可能となり、迅速に番組を選択し受信することが可能となる。
【００９４】
以上の実施例１によれば、ＴＭＣＣ情報の拡張領域を利用し、受信可能な全ての縮小映像と対応する番組関連情報を送信することで、迅速な番組の選択と受信を可能とできる。しかしながら、例えば、特定の放送事業者が、自身に関係する番組のみについて、同様に合成映像と番組関連情報を使った番組選択をしようとした場合、実施例１では対応することができない。このような場合に対応した実施例を以下に説明する。
【００９５】
（実施例２）
〔送信装置〕
実施例２の送信装置は、実施例１の構成を示す図１の送信装置における伝送制御情報及び付加情報フレーム生成部１２０ａ及び番組選択情報生成部１８０を、それぞれ、伝送制御情報及び付加情報フレーム生成部１２０ｂ及び番組選択情報生成部１８０ｂに置換することで構成する。
【００９６】
番組選択情報生成部１８０ｂの構成を、図７に示す。番組選択情報生成部１８０ｂは、番組選択情報生成部１８０と比較し、番組選択情報制御信号生成部１８７の代わりに、番組選択情報制御信号生成部１８７ｂを備えている点で異なる。
【００９７】
番組選択情報制御信号生成部１８７と番組選択情報制御信号生成部１８７ｂとの違いは、生成する番組選択情報制御信号に違いがある。すなわち、番組選択情報制御信号生成部１８７の番組選択情報制御信号は、単一の信号線で構成され、伝送制御情報のレジスタに番組選択情報を書き込む際に、遅延時間調整を行うためのゲート信号として機能した。一方、番組選択情報制御信号生成部１８７ｂの番組選択情報制御信号は、付加情報種別、ページ数、ページ番号、対象サービス指定方式、相対ストリーム選択フラグ、対象サービス数(ｉ)、相対ストリーム番号、及びサービス識別で構成され、伝送制御情報のレジスタに番組選択情報を書き込む際に、遅延時間調整を行うためのゲート信号を生成するための信号として機能する。
【００９８】
次に、伝送制御情報及び付加情報フレーム生成部１２０ｂの構成を、図８に示す。伝送制御情報及び付加情報フレーム生成部１２０ｂは、伝送制御情報及び付加情報フレーム生成部１２０ａと比較し、遅延時間調整部１２１ａの代わりに、遅延時間調整部１２１ｂを備えている点、及び番組選択情報制御信号が、付加情報種別、ページ数、ページ番号、対象サービス指定方式、相対ストリーム選択フラグ、対象サービス数(ｉ)、相対ストリーム番号、及びサービス識別で構成されている点で異なる。
【００９９】
以下、付加情報種別、ページ数、ページ番号、対象サービス指定方式、相対ストリーム選択フラグ、対象サービス数(ｉ)、相対ストリーム番号、及びサービス識別の各信号について説明する。
【０１００】
付加情報種別は、付加情報の種別（文字スーパー、グラフィック、音声など）を指定するためのビットパターンで構成される。
【０１０１】
ページ数は、付加情報を伝送するのに要するフレーム数を示す。
【０１０２】
ページ番号は、１以上のフレームにまたがって伝送する際の、何フレーム目の情報かを示す。
【０１０３】
対象サービス指定方式は、付加情報の対象サービスを指定する際に、
・伝送路内のすべてのストリーム（ＴＳ）を対象とする
・特定の１以上のストリーム（ＴＳ）に含まれる全てのサービスを対象とする
・特定の１以上のストリーム（ＴＳ）に含まれる、１以上のサービスを対象とする
といった、対象サービスの指定方法を示すビットパターンで構成される。
【０１０４】
相対ストリーム選択フラグは、特定の１以上のストリーム（ＴＳ）を付加情報の対象とする場合に、どのストリーム（ＴＳ）を対象にするかを示すビットパターンで構成される。
【０１０５】
対象サービス数（ｉ）、相対ストリーム番号、及びサービス識別は、特定の１以上のストリーム（ＴＳ）に含まれる、１以上のサービスを付加情報の対象とするかを定義する。すなわち、特定の相対ストリーム番号―サービス識別の組み合わせをｉ組指定する場合には、対象サービス数をｉとし、ｉ組の相対ストリーム番号―サービス識別を指定する。
【０１０６】
伝送制御情報については、図１７のＴＭＣＣ情報のビット割当のうち、伝送モード／スロット情報から送受信制御情報までの領域に書きこまれる。拡張情報のうち、拡張識別については“００００００００００００００００”以外の、例えば、“０００００００００００００００１”を設定することで、拡張領域が利用可能となる。拡張領域には付加情報及び付加情報制御信号が書き込まれ出力される。
【０１０７】
制御信号生成部１２１ａでは、伝送制御情報をもとに、制御信号を生成し、制御対象となる機能ブロックに送出される。
【０１０８】
前述した、３つの対象サービス指定方式、
・伝送路内のすべてのストリーム（ＴＳ）を対象とする
・特定の１以上のストリーム（ＴＳ）に含まれる全てのサービスを対象とする
・特定の１以上のストリーム（ＴＳ）に含まれる、１以上のサービスを対象とする
に対応した、拡張領域の形式をそれぞれ、形式１、２、及び３とした場合のビット割当例を、図９に示す。
【０１０９】
ページ数、ページ番号、付加情報種別については、形式１〜３について共通の項目となっている。また、相対ストリーム選択フラグは形式２に、対象サービス数、相対ストリーム番号、及びサービス識別については形式３に固有の項目となっている。
【０１１０】
ページ数および及びページ番号に１６ビットを割り当てているため、１〜６５５３６のページ数の範囲で、全ページ数及び現在のページ番号を記述することができる。
【０１１１】
付加情報種別については、８ビットを割り当てているため、２５６種の付加情報の種別を定義できる。例えば、図１０のような割り当てを行えば、文字スーパー、グラフィック、音声情報、及び簡易番組表を選択して、付加情報として伝送可能となる。
【０１１２】
対象サービス指定方式については、８ビットを割り当てている。例えば、図１１のように割り当てれば、付加情報の対象サービスを、全ストリーム（ＴＳなど）、任意のストリーム、及び任意のストリームの任意のサービス識別のサービスのいずれかから選んで指定することができる。
【０１１３】
形式２に固有な項目である相対ストリーム番号選択フラグには、１６ビットが割り当てられている。例えば、各ビットを相対ストリーム番号に対応付けて、図１２のような割り当てを行えば、１となっているビットに対応する相対ストリーム番号のストリームを対象として、付加情報を提示可能となる。
【０１１４】
図９に示す形式３に固有な項目である対象サービス数、相対ストリーム番号及びサービス識別には、それぞれ８ビット、４ビット、及び１６ビットが割り当てられている。この場合、対象サービス数を１〜２５６から任意に選べ、相対ストリーム番号とサービス識別の組み合わせを、対象サービス数回数繰り返し割り当てることで、１〜２５６の範囲の任意の数のサービスを対象に付加サービスを提示することが可能となる。
【０１１５】
付加情報種別で指定された付加情報は、付加情報ペイロード領域を使って伝送される。付加情報ペイロード領域の大きさは、形式１の場合３５５０ビット、形式２の場合３５３４ビット、形式３の場合（３５４２−２０ｉ）ビット又は３５５０ビットとなり異なるが、１ページに収まらない場合には、必要なページ数を「ページ数」に指定して分割することで対応可能となる。
【０１１６】
入力される付加情報は連続したデータであるが、間欠的に付加情報ペイロード領域を使って伝送するために、遅延時間調整部において、ページ数、ページ番号、対象サービス指定方式、対象サービス数の情報に基づき、ペイロード領域に合致する大きさのバースト状データに変換され、シフトレジスタのペイロード領域に書き込まれる。
【０１１７】
シフトレジスタ１２３ａに、全ての付加情報及び付加情報制御信号が書き込まれた後、シフトレジスタに書き込まれたデータは、ＢＣＨ符号化部１３０−２に送出される。また、制御信号生成部１２２ａにより、伝送制御情報を基に、フレーム生成部１１０、ＢＣＨ符号化部１３０−１、ＬＤＰＣ符号化部１４０−１、マッピング部１５０−１、及び、信号点系列多重部１６０用の各種制御信号が生成される。
【０１１８】
〔受信装置〕
実施例２の受信装置は、実施例１の構成を示す図１の受信装置の伝送制御情報及び付加情報分離部２６０ａ、及び番組選択情報分離部２８０を、それぞれ、伝送制御情報及び付加情報分離部２６０ｂ、及び番組選択情報分離部２８０ｂに置換することで構成する。
【０１１９】
伝送制御情報及び付加情報分離部２６０ｂの構成を、図１３に示す。伝送制御情報及び付加情報分離部２６０ｂは、伝送制御情報及び付加情報分離部２６０ａと比較し、遅延時間調整部２６３ａの代わりに、遅延時間調整部２６３ｂを備えている点、及び番組選択情報制御信号が、付加情報種別、ページ数、ページ番号、対象サービス指定方式、相対ストリーム選択フラグ、対象サービス数(ｉ)、相対ストリーム番号、及びサービス識別で構成されている点で異なる。
【０１２０】
また、番組選択情報分離部２８０ｂの構成を、図１４に示す。番組選択情報分離部２８０ｂは、番組選択情報分離部２８０と比較し、多重分離部２８１の代わりに、多重分離部２８１ｂを備えている点、及び、番組選択情報制御信号が、付加情報種別、ページ数、ページ番号、対象サービス指定方式、相対ストリーム選択フラグ、対象サービス数(ｉ)、相対ストリーム番号、及びサービス識別で構成されている点で異なる。
【０１２１】
伝送制御情報及び付加情報分離部２６０ａの番組選択情報制御信号は、バースト状に受信される拡張領域の情報を連続的な信号に変換して出力し、出力信号が有効であることを示すゲート信号として機能した。一方、伝送制御情報及び付加情報分離部２６０ｂの番組選択情報制御信号は、付加情報種別、ページ数、ページ番号、対象サービス指定方式、相対ストリーム選択フラグ、対象サービス数(ｉ)、相対ストリーム番号、及びサービス識別で構成され、バースト状に受信される番組選択情報を連続的な信号に変換するため、遅延時間調整を行うためのゲート信号を生成するための信号として機能する。
【０１２２】
以上の実施例２によれば、付加情報、すなわち番組選択情報の提示対象をストリーム識別やサービス識別で指定可能となるため、例えば、特定の放送事業者が、他の衛星中継器や伝送路を含む伝送路で伝送されている自身の全番組について、合成映像と番組関連情報を使った電子番組表を構成し、その電子番組表を、自身に関係する番組が放送されている全ての伝送路の伝送制御信号の拡張領域を使って伝送すれば、自身に関係する番組が伝送されている全ての伝送路で、その放送事業者専用の番組表を受信可能となり、こうした場合においても、番組選択を迅速に行うことを可能とする手段が提供されることとなる。
【０１２３】
上述の実施例については代表的な例として説明したが、本発明の趣旨及び範囲内で、多くの変形及び置換することができることは当業者に明らかである。例えば、上述の実施例では、本発明を高度衛星放送伝送方式に適用した例を示したが、本発明は、伝送制御信号を備えた伝送方式であれば適用することができ、例えば日本のＢＳデジタル放送の放送方式であるＩＳＤＢ-Ｓ、地上デジタル放送の放送方式であるＩＳＤＢ-Ｔ、欧州の放送方式であるＤＶＢ-Ｓ２やＤＶＢ-Ｔ２にも適用可能である。ただし、伝送方式によって、伝送制御情報に確保可能な拡張領域の大きさが異なるため、適用するシステムごとに数値的な調整が必要である。
【０１２４】
従って、本発明は、上述の実施例によって制限するものと解するべきではなく、特許請求の範囲によってのみ制限される。
【産業上の利用可能性】
【０１２５】
本発明によれば、デジタルデータの送信装置及び受信装置において、従来技法であるＭＰＥＧ−２システムにおける番組選局と比較して、受信可能な番組の概要把握及び所望の番組の選局を迅速に行うことが可能となり、視聴者の利便性向上を図る伝送システムの用途に有用である。
【符号の説明】
【０１２６】
１００，１００ａ  送信装置
１１０  フレーム生成部
１２０  伝送制御情報フレーム生成部
１２０ａ，１２０ｂ  伝送制御情報及び付加情報フレーム生成部
１２１ａ，１２１ｂ  遅延時間調整部
１２２ａ  制御信号生成部
１２３ａ  シフトレジスタ
１２４ａ  番組情報抽出部
１３０−１，１３０−２  ＢＣＨ符号化部
１４０−１，１４０−２  ＬＤＰＣ符号化部
１５０−１，１５０−２  変調マッピング部
１６０  信号店系列多重部
１７０  直交変調部
１８０，１８０ｂ  番組選択情報生成部
１８１  映像信号復号部
１８２  映像信号縮小部
１８３  映像信号合成部
１８４  映像信号符号化部
１８５  ＰＳＩ／ＳＩ情報フィルタ
１８６  多重化部
１８７，１８７ｂ  番組選択情報制御信号生成部
２００，２００ａ  受信装置
２１０  直交復調部
２２０  信号店系列分離部
２３０−１，２３０−２  ＬＬＲ計算部
２４０−１，２４０−２  ＬＤＰＣ復号部
２５０−１，２５０−２  ＢＣＨ復号部
２６０  伝送制御情報分離部
２６０ａ，２６０ｂ  伝送制御情報及び付加情報分離部
２６１ａ  シフトレジスタ
２６２ａ  制御信号生成部
２６３ａ，２６３ｂ  遅延時間調整部
２６４ａ  番組選択情報分離部
２７０  フレーム分離部
２８０  番組選択情報分離部
２８１  多重分離部
２８２  映像信号復号部
【図１】
2015032944.tif 000003
【図２】
2015032944.tif 000004
【図３】
2015032944.tif 000005
【図４】
2015032944.tif 000006
【図５】
2015032944.tif 000007
【図６】
2015032944.tif 000008
【図７】
2015032944.tif 000009
【図８】
2015032944.tif 000010
【図９】
2015032944.tif 000011
【図１０】
2015032944.tif 000012
【図１１】
2015032944.tif 000013
【図１２】
2015032944.tif 000014
【図１３】
2015032944.tif 000015
【図１４】
2015032944.tif 000016
【図１５】
2015032944.tif 000017
【図１６】
2015032944.tif 000018
【図１７】
2015032944.tif 000019